(57)【要約】【課題】  マルチ手差しにおいて、用紙サイズエラーが発生しても、装置寿命を極端に低下させることなく、かつユーザの使い易さを得る。【解決手段】  用紙給紙部からの給紙により、１枚コピーすると（ＳＴ１、ＳＴ２）、用紙サイズエラーか否か判定し（ＳＴ３）、用紙サイズエラー検出の場合、手差し給紙か否か判定する（ＳＴ４）。手差し給紙の場合に、プリントすべき次ページが有るか否か判定し、次ページが無ければ、用紙サイズエラー検出を無視して処理を終了する（ＳＴ５）。プリントすべき次ページが有れば、現プリント用紙を正常とし（ＳＴ７）、用紙サイズ設定オペレーションへ移行する（ＳＴ８）。【選択図】      図３
2005193456.tif 000002
【特許請求の範囲】
【請求項１】
複数枚の用紙を給紙する手差し給紙部と、
給紙用紙のサイズを検出するサイズセンサと、
検出された給紙用紙サイズと設定サイズとに基づいて、用紙サイズエラーの有無を判定する用紙サイズエラー有無判定手段と、
手差し給紙時に、用紙サイズエラー有りの判定に応じ、次ページプリントの要否を判定する次ページプリント要否判定手段と、
を備え、次ページプリント不要の場合に、前記用紙サイズエラー有りの判定を無視することを特徴とする手差し機能付き記録装置。
【請求項２】
前記次ページプリントの要否判定により、次ページプリント必要の場合、現プリント用紙を正常と扱うことを特徴とする請求項１記載の手差し機能付き記録装置。
【請求項３】
用紙サイズの設定変更を促す報知手段を備え、前記次ページプリント必要の場合、報知手段を動作させることを特徴とする請求項２記載の手差し機能付き記録装置。
【発明の詳細な説明】
【技術分野】
【０００１】
この発明は、複写機、複写機能・ファクシミリ機能等の多機能を有する複合機、プリンタ装置等の記録装置、特に手差し機能付きの記録装置に関する。
【背景技術】
【０００２】
複写装置、複合機等には、用紙カセット装着部等の他に、手差し給紙部を有し、手差しでコピー、プリントを行う場合がある。この種の記録装置において、手差しでコピーを行う場合、プリンタが認識している用紙サイズと手差し給紙部から実際に給紙される用紙サイズとが違うときに、用紙サイズエラーを表示し、ユーザに正しい用紙サイズを再設定してもらうようにしている。また、手差しがシングル手差しの場合には、用紙サイズエラーが検出されていても、これを無視していた。
【０００３】
また、手差し給紙部状態検出部が手差し給紙される用紙幅を検知すると、手差し給紙する用紙サイズ候補を認識でき、かつ認識した用紙サイズ候補の何れかを操作パネルのキーにより選択すると、マルチ手差しトレイから給紙される記録媒体のサイズを認識できる複写装置が開示されている（例えば、特許文献１参照）。
【特許文献１】特開平６−１４８９９０号公報
【発明の開示】
【発明が解決しようとする課題】
【０００４】
従来、手差しがシングル手差しの場合、用紙サイズエラーが起こっても無視することで、ユーザの使い易さは低下しない。しかしながら、マルチ手差しの場合、用紙サイズエラーの発生を無視してプリントを続けると、用紙のない状態でトナーが出されたり、バイアス電圧が印加されたり、またクリーニングが頻繁になり、ドラムの寿命を極端に低下するおそれがある。また、用紙サイズエラー処理を行うと、エラー解除のための操作に時間がかかり、装置の使い易さが低下するという問題がある。この種の問題は、特許文献１に記載の技術でも解決することができない。
【０００５】
この発明は上記問題点に着目してなされたものであって、マルチ手差しにおいて、用紙サイズエラーが発生しても、装置寿命を極端に低下させることなく、それでいてユーザの使い易さも保持し得る記録装置を提供することを目的とする。
【課題を解決するための手段】
【０００６】
この発明の手差し機能付き記録装置は、複数枚の用紙を給紙する手差し給紙部と、給紙用紙のサイズを検出するサイズセンサと、検出された給紙用紙サイズと設定サイズとに基づいて、用紙サイズエラーの有無を判定する用紙サイズエラー有無判定手段と、手差し給紙時に、用紙サイズエラー有りの判定に応じ、次ページプリントの要否を判定する次ページプリント要否判定手段と、を備え、次ページプリント不要の場合に、前記用紙サイズエラー有りの判定を無視することを特徴とする。
【０００７】
この発明の手差し機能付き記録装置において、前記次ページプリントの要否判定により、次ページプリント必要の場合、現プリント用紙を正常と扱うこととすると良い。正常に扱うとは、例えば正しくプリントされたとして、プリント枚数をカウントアップし、次プリントへ移行することである。
【０００８】
また、この発明の手差し機能付き記録装置において、更に、用紙サイズの設定変更を促す報知手段を備え、前記次ページプリント必要の場合、報知手段を動作させるようにしても良い。
【発明の効果】
【０００９】
この発明によれば、マルチ手差しで用紙サイズエラーが発生しても、次にプリントの必要ページがある否か判定し、次にプリント要のページが無ければ、用紙サイズエラーを無視し、今回のプリントをＯＫとするので、従来のシングル手差し並みの使い易さを得ることができる。
【００１０】
また、次ページプリント要の場合に、今回のプリントは正常とし、かつ用紙サイズの設定変更報知後の再スタートキーの操作で、もう１枚コピーを行うことができ、連続コピーは出来ないが、コピーは続けられ、操作性の低下を防ぐことができる。
【発明を実施するための最良の形態】
【００１１】
以下、実施の形態により、この発明を更に詳細に説明する。
【００１２】
その実施形態に係る記録装置としてのファクシミリ装置の概略模式図を図１に示す。このファクシミリ装置１は、ファクシミリ機能とコピー機能を併有する複合機として構成したものであり、装置本体２の上部一端側に原稿自動給紙装置（ＡＤＦ）３が設けられるとともに、読み取る原稿をセットするための原稿供給トレイ６及び読み取り後の原稿を排出するための原稿排出トレイ７が設けられている。また、ＡＤＦ３及びトレイ６，７は一体的に前側を開閉可能に後側で装置本体２にヒンジ連結されており、ＡＤＦ３及びトレイ６，７の下側にフラットベッドスキャナ（ＦＢＳ）４が配備されている。但し、これら各部は、従来の装置と機能的に差異は無いので、詳細は省略する。
【００１３】
このファクシミリ装置１の装置本体２内部には、プリントすべき用紙を収納する用紙カセット８が設けられている。また、本体装置１の側部に手差し部９が設けられ、装置本体２の他方の側部に排紙トレイ１０が設けられている。用紙カセット８あるいは手差し部９から給紙された用紙４０は、感光ドラム４１によってプリントされ、画像記録済み用紙が排紙トレイ１０に排出される。給紙搬送上には、用紙の長さを検出するサイズセンサ４２が設けられている。
【００１４】
このファクシミリ装置１の構成例を図２にブロック図で示す。このファクシミリ装置１は、主制御部（ＣＰＵ）１１と、ＮＣＵ１２と、ＭＯＤＥＭ１３と、ＲＯＭ１４と、ＲＡＭ１５と、画像メモリ１６と、音声データメモリ１７と、音声出力部１８と、表示部１９と、操作部２０と、画像読取部２１と、画像記録部２２と、ＣＯＤＥＣ２３と、ＬＡＮ  Ｉ／Ｆ２４と、バス２５と、手差し部制御部２８と、サイズセンサ４２、４３及び手差し部センサ４４とを備えている。
【００１５】
主制御部１１は、ＲＯＭ１４に記憶されたプログラムに従い、この装置１を構成する各部を制御する。また、主制御部１１は、給紙用紙サイズが不定形サイズである、予め設定されている用紙サイズを検出された用紙サイズとが一致しない等を検出する用紙サイズエラー検出機能、用紙サイズエラー検出の状態で、給紙用紙が手差しか否かを判定する手差し給紙判定機能、用紙サイズエラー検出及び手差し給紙下で１枚コピー後に次ページの有無を検出する機能、次ページ無しの場合に処理を終了し、用紙サイズエラー検出を無視し、次ページ有りの場合に、現プリント用紙を正常と扱う機能、用紙サイズエラー検出状態で、手差し給紙でない場合、あるいは手差しで次ページ有りの場合に、用紙サイズ設定オペレーションを実施する機能等を有する。
【００１６】
ＮＣＵ１２は、電話回線２６との接続を制御するとともに、相手先の電話番号（対応したダイヤル信号）を送出するための機能、及び着信を検出するための機能を備えている。また、ＮＣＵ１２は、ダイヤルトーン、ＣＮＧ（コーリングトーン）信号等を電話回線２６より受信する。ＭＯＤＥＭ１３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。
【００１７】
ＲＯＭ１４は、装置全体を制御するためのプログラムを記憶する。ＲＡＭ１５は、装置１に関する各種情報を一時的に記憶する。また、ＲＡＭ１５は、給紙用紙のサイズを記憶するサイズメモリ１５ａを有する。画像メモリ１６は、受信画像データや画像読取部２１で読み取られた画像データを一時的に記憶する。
【００１８】
音声データメモリ１７は、各種音声ガイダンスとしての音声データを記憶する。音声データは、用紙サイズ設定オペレーション時の「用紙サイズを正しく変更して下さい」……等、また例えば用紙ジャム発生時の「用紙ジャムが発生しました。除去して下さい」、「紙詰まりです」…等である。音声出力部１８は、その音声データメモリ１７に記憶された音声ガイダンスをスピーカなどにより出力する。表示部１９は、装置の動作状態等の各種情報、転送時間帯等の表示を行う。操作部２０は、テンキー、ワンタッチキー、スタートキー、その他のキーで構成される。
【００１９】
画像読取部２１は、原稿上の画像データを読み取って、イメージデータを出力する。画像記録部２２は、電子写真式のプリンタよりなり、受信画像データや、コピー動作において画像読取部２１で読み取られた原稿の画像データを用紙上に記録する。ＣＯＤＥＣ２３は、送信すべき画像データを符号化し、また受信した画像データを復号する。ＬＡＮ  Ｉ／Ｆ２４は、ＬＡＮ２７を介して外部機器と各種データの送受信を行う。
【００２０】
手差し部制御部２８は、上記装置本体２内部に設けられた手差し部９の動作を制御し、具体的には手差し部９が開かれたことを手差し部センサ４４のオンにより検出し、主制御部１１からの指令により、給紙などを制御する。
【００２１】
次に、この実施形態装置において、手差し給紙の場合の処理動作を、図３に示すフロー図を参照して説明する。操作部２０のスタートキーが操作されると、このジョブの動作がスタートする。ステップＳＴ１においては、原稿読取部２１で原稿を読み取る。読取画像をＣＯＤＥＣ２３で符号化し、画像メモリ１６に記憶する。次に、ステップＳＴ２へ移行する。ステップＳＴ２においては、画像記録部２２において、用紙カセット８あるいは手差し給紙部９より給紙された用紙に１枚目のコピー（プリント）を行う。続いて、ステップＳＴ３へ移行する。
【００２２】
ステップＳＴ３においては、用紙サイズエラー検出か否かを判定する。この判定は、例えば手差し給紙部９より給紙された用紙サイズを、サイズセンサ４２とサイズセンサ４３で検出する。サイズセンサ４２で用紙の長さを、サイズセンサ４３で用紙の幅を検出する。これらセンサ出力により、定形サイズであれば検出可能であるが、例えば幅が定形のものでない場合、用紙サイズが確定できない場合がある。また、用紙サイズが検出されても、予め装置が予定する（設定されている）サイズとは異なる場合は、用紙サイズエラーとなる。用紙サイズエラーでないと、ステップＳＴ１０へ移行する。一方、用紙サイズエラー検出の場合は、ステップＳＴ４へ移行する。ステップＳＴ１０においては、以後、通常プリント、つまり設定用紙サイズに応じた間隔で給紙を行う等、予定のプリントシーケンスによる制御を行う。
【００２３】
ステップＳＴ４においては、手差し給紙か否か判定する。この判定は、手差し給紙部９が本体装置２より開かれているか否かによって判定する。図１には、図示はしていないが、手差し給紙部９が開かれるとオンするスイッチが手差し部センサ４４として設けられており、このスイッチ信号が主制御部１１に取り込まれている。手差し給紙の場合は、ステップＳＴ５へ移行する。一方、給紙でない場合は、ステップＳＴ１１へ移行する。
【００２４】
ステップＳＴ５においては、次ページ有りか否かを判定する。同一原稿を複数部コピーする場合、あるいは複数枚の原稿をコピーする場合等、またプリントすべき次ページがある場合には、ステップＳＴ７へ移行する。一方、次ページが無ければ、ここで処理を終了する。結果として、１枚コピーで用紙サイズエラーが検出されても、これを無視する。ここでは、設定サイズとは異なるサイズの用紙にコピーされたものがコピー結果として残る。
【００２５】
ステップＳＴ７においては、現プリント用紙を、設定サイズとは異なるサイズの用紙ではあるが、正常にプリントされたものとして扱う。これにより、プリント枚数を１インクリメントする。次に、ステップＳＴ８へ移行する。
【００２６】
ステップＳＴ８においては、用紙サイズ設定オペレーションを実行する。用紙サイズ設定オペレーションの内容を図４に示す。具体的には図４のフロー図に示すように、ステップＳＴ１２において、表示部１９に“用紙サイズを正しく設定変更して下さい”のメッセージを表示するとともに、音声出力部１８より、このメッセージを音声出力する。続いて、ステップＳＴ１３へ移行する。ステップＳＴ１３において、用紙サイズの設定変更の入力がなされたか否か判定する。ユーザにより、設定変更の入力がなされた場合は、ステップＳＴ１４へ移行し、入力された新たな用紙サイズを登録する。そして、ステップＳＴ９へ移行する。一方、設定変更の入力がなされない場合は、ステップＳＴ１５へ移行する。設定変更の入力がなされない状態で、ステップＳＴ１５において、操作部２０のスタートキーが操作されたか否か判定する。スタートキーが操作されていないと、ステップＳＴ１３へ戻る。一方、スタートキーが操作されると、図３のステップＳＴ９へ移行し、再プリントを起動する。
【００２７】
ステップＳＴ１１においては、現プリント用紙を失敗とし、枚数カウントせず、ステップＳＴ８へ移行する。この場合も、上記と同様に図４の処理を実行する。
【図面の簡単な説明】
【００２８】
【図１】この発明の実施形態に係る記録装置としてのファクシミリ装置（複合機）の概略模式図である。
【図２】同実施形態ファクシミリ装置の構成例を示すブロック図である。
【図３】同実施形態ファクシミリ装置における用紙給紙時の処理動作を説明するためのフロー図である。
【図４】同フロー図の用紙サイズ設定オペレーションにおける処理を示すフロー図である。
【符号の説明】
【００２９】
１          ファクシミリ装置（記録装置）
２          装置本体
３          ＡＤＦ（原稿自動給紙装置）
４          ＦＢＳ（フラットベッドスキャナ）
６          原稿供給トレイ
８          用紙収容カセット
９          手差し部
１０        排紙トレイ
１１        主制御部
１５        ＲＡＭ
１５ａ      サイズメモリ
２１        原稿読取部
２２        画像記録部
２８        手差し部制御部
４０        用紙
４１        感光ドラム
４２、４３  サイズセンサ
４４        手差し部センサ
【図１】
2005193456.tif 000003
【図２】
2005193456.tif 000004
【図３】
2005193456.tif 000005
【図４】
2005193456.tif 000006